(57)【要約】【課題】掘り床の設定・解除が容易で、掘り床の設定により和室の雰囲気を失うことなく椅子に座れることと、掘り床の解除により部屋全体に畳を敷いて利用することを適宜自在に選択して行える利用性に優れた和室構造を提供すること。【解決手段】和室構造５０は、和室に敷かれる畳１０、１１の１枚又は２枚以上が２分割され、この２分割された畳１０、１１の少なくとも一方の畳１０、１１の下方に掘り床３０が形成され、また、下方に前記掘り床３０が形成される畳１０、１１の裏面に椅子部２０、２１が形成され、該椅子部２０、２１の高さ寸法は前記掘り床３０の深さ寸法と同一である。この和室構造５０の掘り床３０には机支持部３１を形成しても良い。【選択図】図１
2004324367.tif 000002
【特許請求の範囲】
【請求項１】
和室に敷かれる畳の１枚又は２枚以上が２分割され、この２分割された畳の少なくとも一方の畳の下方に掘り床が形成され、また、下方に前記掘り床が形成される畳の裏面に椅子部が形成され、該椅子部の高さ寸法は前記掘り床の深さ寸法と同一であることを特徴とする和室構造。
【請求項２】
掘り床に机支持部が形成されてなることを特徴とする請求項１に記載の和室構造。
【発明の詳細な説明】
【０００１】
【発明の属する技術分野】
本発明は、部屋全体に畳が敷かれる和室としての利用と、また、掘り床により椅子に座ることができる和室としての利用を適宜自在に選択して行える和室構造に関する。
【０００２】
【従来の技術】
今日、住居も西洋化が進み、日頃、洋間のリビングでくつろぐのが一般的となっているが、高齢者が長年慣れ親しんできた和室は、高齢者にとって最もくつろげる居住空間と言える。しかし、畳に正座する場合は勿論のこと足を投げ出して座る場合でも、椅子に座る場合に比べ、疲労し易く姿勢上も好ましくない。また、高齢者の中には、神経痛やリュウマチなどで畳に座るのが難しい人もいる。他方、和室にソファーなどの椅子類を持ち込むことも可能であるが、それでは和室の雰囲気を失いくつろげるという感じをも失ってしまう。また、椅子類を持ち込むことにより和室全体を有効に利用できなくなる。旅館や料亭などでは、和室の利用に際し、高齢者の増加に伴い畳に座るのが難しい人の増加も予想され、このような場合の対応が今後問題となる。
【０００３】
このような問題に対して、床を掘り床として座れるようにすることで対応することも可能である。従来より、住居に形成される掘り床としては掘りごたつが良く知られている（特許文献１参照）。
【０００４】
【特許文献】特開平７−２３３９４７号公報
【０００５】
【発明が解決しようとする課題】
しかし、従来の掘りごたつのような掘り床は、畳を取り除き、床板を外して設定するものであったため、作業が非常に煩雑であるばかりか、重労働でもあり、一旦設定すると少なくとも冬季は掘り床をそのままにしておくというものであった。そのため、掘り床を設定している間は和室の利用スペースが大きな制約を受け、例えば布団を敷いて利用するようなことは困難であった。
【０００６】
本発明は、上記事情に基づきなされたものであり、掘り床の設定・解除が容易で、掘り床の設定により和室の雰囲気を失うことなく椅子に座れることと、掘り床の解除により部屋全体に畳を敷いて利用することを適宜自在に選択して行える利用性に優れた和室構造を提供することを課題とする。
【０００７】
【課題を解決するための手段】
本発明者は、上記課題を解決するために検討を重ね、本発明を完成するに至った。
すなわち、本発明は、和室に敷かれる畳の１枚又は２枚以上が２分割され、この２分割された畳の少なくとも一方の畳の下方に掘り床が形成され、また、下方に前記掘り床が形成される畳の裏面に椅子部が形成され、該椅子部の高さ寸法は前記掘り床の深さ寸法と同一であることを特徴とする和室構造を要旨とする。
【０００８】
本発明は上記構成により、掘り床の設定・解除が容易となる。なお、掘り床とは、例えば掘りごたつのように、畳が敷かれる床面より低い位置に凹状に形成される床をいう。
【０００９】
上記発明において、掘り床に机支持部を形成しても良い。これにより、掘り床に安定させた状態で机を設置できる。
【００１０】
【発明の実施の形態】
以下、本発明を図面を参照しながら、実施の形態により詳細に説明する。図１は、掘り床３０を利用できるようにした本実施形態の和室構造５０を示す斜視図で、図２はその平面図、図３は机４２と背もたれ４０を設置した状態の模式的断面図である。また、図４は掘り床３０を利用できるようにしない場合の和室構造５０の模式的断面図、図５はその平面図である。
【００１１】
本実施形態の和室構造５０は、一畳の畳１０、１１がその長手方向で２分割される。２分割された各畳１０、１１の裏面には、椅子部２０、２１が各々形成される。椅子部２０、２１は、図３及び図４に示すように、断面視で台形状をなし、中空となっている。また、畳１０、１１の机支持部３１に向き合う箇所には、椅子部２０、２１が形成されない。椅子部２０、２１には、背もたれ４０の脚を収容する背もたれ支持凹部２２、２３が複数箇所に形成される。椅子部２０、２１の高さ寸法Ｈは、後記の掘り床３０の深さ寸法Ｄと同一に形成される。この椅子部２０、２１は、合成樹脂などの軽量な素材で形成するのが好ましい。
【００１２】
上記の２分割された各畳１０、１１の下方には、掘り床３０が形成される。掘り床３０の長手方向の両端には、机４２の脚を支持する複数の机支持凹部３２を備えた矩形状の机支持部３１が形成され、その上端は掘り床３０の上端と一致する。机支持部３１の上端と掘り床３０の上端とが一致するようになっているので、畳１０、１１を敷くと畳１０、１１の椅子部２０、２１が形成されていない箇所は机支持部３１に乗ることになる。
【００１３】
次いで、上記のように構成される本実施形態の和室構造５０の使用方法について説明する。掘り床３０を利用しない場合は、図５に示すように和室全体に畳１０、１１、１２が敷かれた状態となるので、部屋全体を有効に利用でき、例えば布団を敷いたりすることも可能となる。また、上記で説明したように、椅子部２０、２１の高さ寸法Ｈが掘り床３０の深さ寸法Ｄと同一に形成されているため、掘り床３０を利用しない場合、本発明のように掘り床３０の上方に床板を設けない構成としても畳を支えることができ、人の歩行などで畳に重みがかかっても凹んだりすることがない。
【００１４】
一方、掘り床３０を利用する場合は、以下のようにする。すなわち、椅子部２０、２１は、下側が上側より幅狭の台形状をなすので、畳１０、１１を回動させることが可能であり、また、畳１０、１１の一部は机支持部３１に乗っているので、２分割された畳１０、１１を両隣の畳１２と接する点をそれぞれ支点として１８０度回動させることができる。畳１０、１１は２分割されているので、上記の作業により従来のように１枚の畳を取り除き、床板を外す場合と比べ容易に掘り床３０を設定でき、また、椅子部２０、２１を合成樹脂のような軽量な素材で形成すれば、より容易に掘り床３０を設定できる。
【００１５】
また、机支持部３１には複数の机支持凹部３２が形成されているので、任意の位置に机４２を設置でき、また机支持凹部３２で脚を固定できるので、机４２を安定させた状態で掘り床３０に設置することが可能となる。また、複数の背もたれ支持凹部２２、２３が形成されているので、任意の位置に背もたれ４０を椅子部２０、２１に設置できる。
【００１６】
本実施形態の和室構造５０では、掘り床３０の深さＤが１５ｃｍに形成され、椅子部２０の高さ寸法Ｈもこれと同じ１５ｃｍに形成されているので、椅子部２０に座る人は座部の高さが「３０ｃｍ＋２枚の畳の厚み」となる。この座部の高さは約４０ｃｍで通常の椅子とほぼ同一の高さであるため快適に座ることができる。また、掘り床３０となっているため、和室の雰囲気を失うことがない。なお、掘り床３０の深さＤと椅子部の高さ寸法Ｈは、上記の数値に限定されるものではない。
【００１７】
本発明は、その技術的範囲に包含される限り、種々形態を変更して具体化できるので、以下に例示する。
（１）２分割された一方の畳のみの下方に掘り床を形成し、他方の畳の下方には掘り床を形成することなく通常の床板を設ける構成しても良い。この構成の和室構造は、家庭内の和室として好適である。
（２）１の和室において２分割される畳は、１枚の畳に限定されず、２枚以上の畳でも良い。また、２分割される畳は一畳の畳に限定されず、半畳の畳でも良い。
（３）椅子部は、断面視で４角形状に形成しても良い。この場合、２分割された畳を一旦上に持ち上げないと回動できないので、椅子部を掘り床から上方に離間させてから回動させる。
（４）２分割された畳１０、１１を回動させる場合に用いる把手部４５を畳１０、１１に設けても良い。把手部４５は、特に掘り床３０として利用しない場合に邪魔にならないような構成が好ましい。例えば図６に示すように、剛性のあるワイヤー４６を２分割された畳１０、１１の短手方向に貫通させる。そして、ワイヤー４６の一端はストッパー４７で畳１０、１１に固定し、畳１０、１１から伸びるワイヤー４６の他端は円盤状薄板４８に固定し、該円盤状薄板４８を握って畳１０、１１を回動させることができるように構成しても良い。この把手部４５は、掘り床３０を使用しない場合には、円盤状薄板４８と伸びたワイヤー４６部分を畳１０、１１と畳１２の間に挟み込んでおくことができるので畳１０、１１、１２の上を歩行する際にも邪魔にならない。
（５）ゴムなどの伸縮性素材で帯状に形成したガイド部材の両端を２分割された畳と掘り床との間に各々固定し、畳を回動させる場合にズレないようにガイドする構成としても良い。
（６）本発明の和室構造における掘り床にこたつを設け、掘りごたつとしても良い。
【００１８】
【発明の効果】
本発明は、上記のように構成されるため、以下の効果を奏する。
本発明によれば、掘り床の設定・解除が容易であるため、掘り床を利用して和室の落ち着いた雰囲気を感じながら椅子に座ることや、あるいは掘り床を利用しないで部屋全体に畳を敷いて、例えば布団を敷くなど和室全体を有効に利用することを適宜自在に選択して行える利用性に優れた和室構造を提供できる。従って、高齢者のいる家庭、あるいは正座などが難しい人のいる家庭の和室に好適な和室構造を提供できる。また、旅館や料亭などの和室においても、高齢化社会の到来に伴い増加が予想される畳に座るのが難しい高齢者のお客にも的確に対応することが可能な和室構造を提供できる。
【図面の簡単な説明】
【図１】掘り床を利用できるようにした本実施形態の和室構造を示す斜視図である。
【図２】掘り床を利用できるようにした本実施形態の和室構造を示す平面図である。
【図３】掘り床を利用できるようにして机と背もたれを設置した本実施形態の和室構造を示す模式的断面図である。
【図４】掘り床を利用しない場合における本実施形態の和室構造の模式的断面図である。
【図５】掘り床を利用しない場合における本実施形態の和室構造の平面図である。
【図６】２分割された畳に設けられる把手部を示す平面図である。
【符号の説明】
１０、１１      ２分割された畳
１２            畳
２０、２１      椅子部
３０            掘り床
３１            机支持部
５０            和室構造
【図１】
2004324367.tif 000003
【図２】
2004324367.tif 000004
【図３】
2004324367.tif 000005
【図４】
2004324367.tif 000006
【図５】
2004324367.tif 000007
【図６】
2004324367.tif 000008